(57)【要約】      （修正有）【課題】均一に照射し、照明範囲が拡大された発光ダイオードランプの光導構造を提供する。【解決手段】発光ダイオードランプの光導構造は、長形のヒートシンクバーに、発光ダイオード基板モジュール及び管状透光マスクを設置する。複数の発光ダイオード部材は、発光ダイオード基板モジュールの表面の幅方向に対して交互に、長手方向に沿って配列される。管状透光マスクは、発光ダイオード基板モジュール及び発光ダイオード部材を被覆する。そのうち、管状透光マスクの透光面は、発光ダイオード部材の光源中心と距離を隔てる。【選択図】図１
0003165829.tif 000002
【実用新案登録請求の範囲】
【請求項１】
長形であり、長形方向の両側にそれぞれ外向きの第１ガイド溝及び内向きの第２ガイド溝を有するヒートシンクバーと、
発光ダイオード基板モジュールであって、該発光ダイオード基板モジュール内側が該２つの第２ガイド溝中に設置され、該発光ダイオード基板モジュールを該ヒートシンクバー中に安定設置させる発光ダイオード基板モジュールと、
長形方向に沿って交互に該発光ダイオード基板モジュールの表面に配列される複数の発光ダイオード部材と、
管状透光マスクであって、該管状透光マスクの両側は、該２つの第１ガイド溝中に設置され、該管状透光マスクを該ヒートシンクバーに安定設置させ、該管状透光マスクは、該発光ダイオード基板モジュール及び該第２発光ダイオード部材を被覆し、そのうち、該管状透光マスクの透光面は、該発光ダイオード部材の光源中心と距離を隔てる管状透光マスクと、
を含む発光ダイオードランプの光導構造。
【請求項２】
前記光導構造の両端に更に電源入力端子を含む請求項１に記載の発光ダイオードランプの光導構造。
【請求項３】
前記電源入力端子は、２つのピンを有する請求項２に記載の発光ダイオードランプの光導構造。
【請求項４】
前記ヒートシンクバーは、アルミ材で成型される請求項１に記載の発光ダイオードランプの光導構造。
【請求項５】
前記発光ダイオード部材は、長形方向に沿って交互に且つ間隔を置いて該発光ダイオード基板モジュールの表面に配列される請求項１に記載の発光ダイオードランプの光導構造。
【請求項６】
前記発光ダイオード基板モジュールは、銅箔基板で構成される請求項１に記載の発光ダイオードランプの光導構造。
【考案の詳細な説明】
【技術分野】
【０００１】
本考案は、発光ダイオードランプの光導構造に関し、均一に照射し、且つ照明範囲を拡大した発光ダイオードランプに用いる光導構造に関する。
【背景技術】
【０００２】
従来、蛍光粉発光の蛍光灯は、生活照明の重要な役割を担い、その長形の外型は、照明範囲を広くし、使用者に愛用されてきた。
【０００３】
発光ダイオード部材の技術は、日増しに進歩し、その省電力の利点は、徐々に従来技術に取って代わり、新たな照明灯具となっている。発展において、発光ダイオード部材が顆粒の形状であるので、照明灯具の多くは、複数の発光ダイオード部材がマトリクス状に配列され、照明灯具の多くが方形又は円形となっている。
【０００４】
発光ダイオード発光部材の照明灯具を更に使用者の習慣及び要求に適合させるための技術は、例えば、中華民国第Ｍ３６８７４９号専利「発光ダイオード照明具」、中華民国第Ｉ３２０４６８号専利「ヒートシンク構造を具える発光ダイオード蛍光灯」であり、何れも蛍光灯型の発光ダイオード部材照明灯具を研究開発するものである。
【０００５】
しかしながら、顆粒状の発光ダイオード部材は、長形の照明灯具に置かれ、比較的大きな問題は、不均一な照明を形成することであり、しばしば発光ダイオード部材の顆粒の外型に対応して１ブロック１ブロックの明部領域となり、中間の隙間に多くの暗部領域ができ、このような効果は、使用者の照明の要求に適合しない。
【０００６】
更にこれらの問題を改善する技術は、管状の透光マスク内層に一層の拡散膜を貼付し、透光膜に凹凸をエッチングした痕跡により光線を均一に拡散する効果を達成するが、これらの方法は、光線の透過率を低減させ、輝度が大幅に低減する。
【０００７】
従って、本考案の目的は、均一に照射し、照明範囲を拡大した長形の発光ダイオードランプに用いる光導構造を提供し、上記問題を改善することにある。
【先行技術文献】
【特許文献】
【０００８】
【特許文献１】中華民国専利第Ｍ３６８７４９号明細書
【特許文献２】中華民国専利第Ｉ３２０４６８号明細書
【考案の概要】
【考案が解決しようとする課題】
【０００９】
本考案の目的は、均一に照射し、且つ照明範囲を拡大する発光ダイオードランプに利用する光導構造を提供し、均一な照明効果を発生し、且つ比較的高い輝度を維持し、組み立てが便利で安定し、製品生産効率及び歩留まりを向上できるようにすることである。
【課題を解決するための手段】
【００１０】
本考案は、発光ダイオードランプの光導構造に関し、該光導構造は、ヒートシンクバーと、発光ダイオード基板モジュールと、複数の発光ダイオード部材と、管状透光マスクと、を含む。
【００１１】
該ヒートシンクバーは、長形であり、長形方向両側にそれぞれ外向きの第１ガイド溝と内向きの第２ガイド溝を有する。該発光ダイオード基板モジュールの両側は、該２つの第２ガイド溝中に設置され、該発光ダイオード基板モジュールを該ヒートシンクバー中に安定設置させる。該複数の発光ダイオード部材は、長形方向に沿って、該発光ダイオード基板モジュールの表面に交互に配列される。
【００１２】
該管状透光マスクの両側は、該２つの第１ガイド溝中に設置され、該管状透光マスクを該ヒートシンクバーに安定設置させ、該管状透光マスクは、該発光ダイオード基板モジュール及び該第２発光ダイオード部材を被覆し、そのうち、該管状透光マスクの透光面は、該発光ダイオード部材の光源中心等と距離を隔てる。
【考案の効果】
【００１３】
従って、本考案の均一に照射し、且つ照明範囲を拡大する発光ダイオードに用いる光導構造は、長形方向に沿って交互に配列される発光ダイオード部材を利用し、管状透光マスクの透光面に該発光ダイオード部材の光源の中心等と距離を隔てさせ、均一な照射効果を発生し、且つ高い輝度を維持する。更に、ヒートシンクバーが第１ガイド溝及び第２ガイド溝を有する構造を利用し、ヒートシンク効果を向上するだけでなく、且つ組み立てを便利にし、安定させ、製品の生産効率及び歩留まりを向上する。
【図面の簡単な説明】
【００１４】
【図１】本考案の光導構造の組み立て説明図である。
【図２】本考案の光導構造の分解説明図である。
【図３】本考案の光導構造の完全に組み立てた説明図である。
【図４】本考案の光導構造の光径の断面説明図である。
【図５】本考案の光源中心及び管状透光マスク等の距離の説明図である。
【図６】該発光ダイオード部材の非交互に配列される照明の説明図である。
【図７】該発光ダイオード部材の交互に配列される照明の説明図である。
【図８】本考案の光導構造の他の例の説明図である。
【考案を実施するための形態】
【００１５】
本考案の利点及び精神を分かり易くするため、以下に考案の具体例及び図面を用い説明する。
【００１６】
図１、図２を参照し、図１は、本考案の光導構造３０の組み立て説明図である。図２は、本考案の光導構造３０の分解説明図である。本考案は、発光ダイオードランプの光導構造３０に関し、光導構造３０は、ヒートシンクバー３２と、発光ダイオード基板モジュール３４と、複数の発光ダイオード部材３６と、管状透光マスク３８と、を含む。
【００１７】
ヒートシンクバー３２は、長形であり、好適にはアルミ製品であり、又はその他のヒートシンク材で構成され、長形方向両側にそれぞれ外向きの第１ガイド溝４０と内向きの第２ガイド溝４２を有し、第１ガイド溝４０及び第２ガイド溝４２は、これに限定するものではないが、例えば、フィンであり、ヒートシンク面積を拡大する効果を有し、更に固定部材の機能も有する。
【００１８】
発光ダイオード基板モジュール３４は、銅箔基板に導電回路をプリントして構成され、その両側に該２つの第２ガイド溝４２中に設置され、発光ダイオード基板モジュール３４をヒートシンクバー３２中に安定設置させる。複数の発光ダイオード部材３６は、長形方向に沿って交互に且つ間隔を置いて発光ダイオード基板モジュール３４の表面に配列され、これにより照射面積を拡大する。
【００１９】
管状透光マスク３８の両側は、該２つの第１ガイド溝４０中に設置され、管状透光マスク３８をヒートシンクバー３２に安定設置させ、該管状透光マスク３８は、該発光ダイオード基板モジュール３４及び該第２発光ダイオード部材３６を被覆し、そのうち、該管状透光マスク３８の透光面は、該発光ダイオード部材３６の光源中心等と距離を隔てる。
【００２０】
図３を参照し、図３は、本考案の光導構造３０の組み立てを完成した説明図である。前記の光導構造３０のように、そのうち、光導構造３０の両端に更に電源入力端子５０を含み、図中では、各端の電源入力端子５０に２つのピンを有し、電源入力の接続部材とし、ランプソケットに挿入固定し易くする。
【００２１】
図４を参照し、図４は、本考案の光導構造３０の光径の断面説明図である。断面より該発光ダイオード部材３６の光線照射の幅が比較的広いことが分かる。また、管状透光マスク３８の弧状の両側辺縁が該２つの第１ガイド溝４０中に安定設置され、発光ダイオード基板モジュール３４の両側辺縁も該２つの第２ガイド溝４２中に安定設置されることを明確に見ることができ、固定が安定しているだけでなく、組み立ても非常に便利である。
【００２２】
図５を参照し、図５は、本考案の光学中心及び管状透光マスク３８等の距離の説明図である。「管状透光マスク３８の透光面が該発光ダイオード部材３６の光源中心等と距離を隔てる」に対して更に説明すると、図中の断面が見える２つの発光ダイオード部材３６は、光源中心から一定の照射角度挟み角を透光面とし、透光面範囲内において、光源中心から管状透光マスク３８の距離が同一であり、この時、理想的な透光効果及び照射均一度を達成することができる。
【００２３】
図６、図７を同時に参照し、図６は、該発光ダイオード部材３６が非交互に配列される照明の説明図である。図７は、該発光ダイオード部材３６が交互に配列される照明の説明図である。該発光ダイオード部材３６が図６に示すように非交互に配列される時、その光照射面は、明確に明部領域及び暗部領域の配列を有し、後続で光線を均一化するには、別途拡散部材を使用するが、部材のコストが増加し、透光率を減少する。該発光ダイオード部材３６が図７に示すように交互に配列される時、その光照射面は、比較的交互に均一となり、実際に目視時、照明は、均一であり、従来技術の欠陥を改善し進歩性を有する。
【００２４】
図８を参照し、図８は、本考案の光導構造３０は、他の例の説明図である。本考案の光導構造３０及び発光ダイオードランプは、長形であるが、前実施例のとおりである必要はなく、一般は長い直線形であり、図８を例とすれば、長円形であることもでき、即ち、例えば、円形又は環状であることもでき、交互に配列した発光ダイオード部材３６及び管所透光マスク３８の透光面及び該発光ダイオード部材３６の光学中心等の距離を利用し、本願の光照射均一化の効果を達成する。
【００２５】
従って、本考案の均一に照射し、且つ照明範囲を拡大する発光ダイオードに用いる光導構造３０は、長形方向に沿って交互に配列される発光ダイオード部材３６を利用し、管状透光マスク３８の透光面に該発光ダイオード部材３６の光源の中心等と距離を隔てさせ、均一な照射効果を発生し、且つ高い輝度を維持する。更に、ヒートシンクバー３２が第１ガイド溝４０及び第２ガイド溝４２を有する構造を利用し、ヒートシンク効果を向上するだけでなく、且つ組み立てを便利にし、安定させ、製品の生産効率及び歩留まりを向上する。
【符号の説明】
【００２６】
３０  光導構造
３２  ヒートシンクバー
３４  発光ダイオード基板モジュール
３６  発光ダイオード部材
３８  管状透光マスク
４０  第１ガイド溝
４２  第２ガイド溝
５０  電源入力端子
【図１】
0003165829.tif 000003
【図２】
0003165829.tif 000004
【図３】
0003165829.tif 000005
【図４】
0003165829.tif 000006
【図５】
0003165829.tif 000007
【図６】
0003165829.tif 000008
【図７】
0003165829.tif 000009
【図８】
0003165829.tif 000010
【手続補正書】
【提出日】平成22年11月17日(2010.11.17)
【手続補正１】
【補正対象書類名】実用新案登録請求の範囲
【補正対象項目名】請求項１
【補正方法】変更
【補正の内容】
【請求項１】
長形であり、長形方向の両側にそれぞれ外向きの第１ガイド溝及び内向きの第２ガイド溝を有するヒートシンクバーと、
発光ダイオード基板モジュールであって、該発光ダイオード基板モジュール内側が該２つの第２ガイド溝中に設置され、該発光ダイオード基板モジュールを該ヒートシンクバー中に安定設置させる発光ダイオード基板モジュールと、
該発光ダイオード基板モジュールの表面の幅方向に対して交互に、長手方向に沿って配列される複数の発光ダイオード部材と、
管状透光マスクであって、該管状透光マスクの両側は、該２つの第１ガイド溝中に設置され、該管状透光マスクを該ヒートシンクバーに安定設置させ、該管状透光マスクは、該発光ダイオード基板モジュール及び該第２発光ダイオード部材を被覆し、そのうち、該管状透光マスクの透光面は、該発光ダイオード部材の光源中心と距離を隔てる管状透光マスクと、
を含む発光ダイオードランプの光導構造。
【手続補正２】
【補正対象書類名】実用新案登録請求の範囲
【補正対象項目名】請求項５
【補正方法】変更
【補正の内容】
【請求項５】
前記発光ダイオード部材は、
該発光ダイオード基板モジュールの表面の幅方向に対して交互に、長手方向に沿って且つ間隔を置いて配列される請求項１に記載の発光ダイオードランプの光導構造。